(57)【特許請求の範囲】
【請求項１】
複数の波長チャネルを有する入力ＷＤＭ信号を複数個の出力信号にデマルチプレクスする光デバイスであって、該光デバイスが、
単一の入力導波路と、
複数個の出力導波路と、
前記入力ＷＤＭ信号の波長チャネルスパンよりも狭いフリースペクトルレンジを有するグレーティングであり、前記グレーティングが、入力カプラ、出力カプラ及び前記入力カプラと前記出力カプラを結合する不等長導波路の配列とを有し、前記入力、出力カプラがそれぞれ、前記入力導波路、前記複数の出力導波路とに結合されている、グレーティングとを有しており、
前記複数の出力導波路のそれぞれのグループは、少なくとも２つの隣接した導波路を含むとともに、略同一のパスバンドを有しており、
前記入力ＷＤＭ信号を前記入力導波路において受信したときに、前記光デバイスは前記入力ＷＤＭ信号を複数の出力信号にデマルチプレクスし、該デマルチプレクスされた出力信号の各々は、各々が異なる波長の複数のチャネルを有しそして前記複数の導波路の前記グループのそれぞれによって搬送され、
前記出力信号の各々は前記複数の出力導波路における前記グループ以外の出力導波路によって搬送されないことを特徴とする、光デバイス。
【請求項２】
請求項１に記載の光デバイスにおいて、前記出力信号各々における波長の数は同じであることを特徴とする、光デバイス。
【発明の詳細な説明】
【０００１】
【発明の属する技術分野】
本発明は波長分割多重化システムに関し、特に、波長フィルタに関する。
【０００２】
【従来の技術】
波長分割多重化（ＷＤＭ）技法は、同一の光ファイバを伝播させる目的で、相異なった波長における信号を組み合わせる（多重化する）技術である。その結果得られる信号はＷＤＭ信号と呼称され、ＷＤＭ信号の各々の波長は波長チャネル（以下、本明細書においては“チャネル”と略記する）と呼ばれる。ＷＤＭ通信システムは、ＷＤＭ技法を用いる通信システムである。例えば、一方には波長分割マルチプレクサが備えられていて他方にはデマルチプレクサが備えられた二つのノードを有する光通信システムはＷＤＭシステムである。一般に、波長分割マルチプレクサは、単一の光ファイバを介してデマルチプレクサ宛に送出する複数個の単一波長信号をＷＤＭ信号にマルチプレクスし、デマルチプレクサは、ＷＤＭ信号を複数個の単一波長信号に復元する。しかしながら、より複雑なＷＤＭ通信システムは、そこに含まれるノードにおいて、阻止及び／あるいは追加／削除機能を提供する。阻止機能を提供するデバイスは波長ブロッカと呼称され、あるノードがいくつかのチャネルあるいは全てのチャネルにおける信号を除去することを可能にする。追加／削除機能を提供するデバイスは波長追加／削除マルチプレクサ（ＷＡＤ）と呼称され、ノードが、他のノードあるいはエンドユーザ宛の信号を削除したり、他のノードあるいはエンドユーザからの信号を追加したり、入力信号のうちのいくつかあるいは全てを次のノードへ通過させたりすることを可能にする。波長分割マルチプレクサ及びデマルチプレクサ、ＷＡＤ及び波長ブロッカは、ＷＤＭ信号のチャネルにおける信号を“濾波”する波長フィルタの例である。
【０００３】
【発明が解決しようとする課題】
ＷＤＭ通信システムにおける光帯域に対する要求が増大しつつあるため、チャネル数を増大させることが望まれている。しかしながら、このことは、これら波長フィルタの大きさ、費用、及び挿入損失を増大させる。
【０００４】
【課題を解決するための手段】
本発明の原理に従って、前述の問題点が解決され、技術的前進がなされる。本発明は、複数個のチャネルよりなる組に対して機能する波長フィルタを実現する。詳細に述べれば、ＷＤＭ信号を濾波するための波長フィルタが、デマルチプレクサ、マルチプレクサ、及び前記デマルチプレクサを前記マルチプレクサに結合する制御アレイより構成され、この際、前記制御アレイの少なくとも一つのエレメントが前記ＷＤＭ信号の複数のチャネルに対して機能する。
【０００５】
本発明の実施例の一つはＷＤＭ信号を濾波する波長フィルタであって、デマルチプレクサ、マルチプレクサ及び前記デマルチプレクサを前記マルチプレクサに結合する制御アレイより構成されている。この際、前記デマルチプレクサ及びマルチプレクサの各々が、波長チャネルスパンよりも狭いフリースペクトルレンジ（ＦＳＲ）を有するグレーティングである。ＦＳＲが波長チャネルスパンよりも狭い場合、ＷＤＭ信号中の波長チャネルは、制御アレイによって、組として操作される。このことは、一般に、波長フィルタに要求される物理的な最小サイズを低減する。
【０００６】
【発明の実施の形態】
前述されているように、波長追加／削除マルチプレクサ（ＷＡＤ）は、ＷＤＭ通信システムにおけるキーコンポーネントである。本発明の理解を容易にする目的で、図１に従来技術に係るＷＡＤの代表的な配置が示されている。ＷＡＤ１００は、デマルチプレクサ１０２、制御アレイ１０３、及びマルチプレクサ１０４より構成されている。デマルチプレクサ１０２は、Ｎ個のチャネル（λ１λ２．．．λＮ）を有するＷＤＭ信号１０１を、Ｎ個のデマルチプレクサ出力信号Ｏ１−ＯＮにデマルチプレクスする。個々のデマルチプレクサ出力信号は、特定のチャネルに関連している。例えば、デマルチプレクサ出力信号Ｏ１は、波長λ１のチャネルに関連している。制御アレイ１０３は追加／削除機能を実現し、複数個の制御エレメント１０３１−１０３Ｎを有している。個々の制御エレメントは、それぞれ一つのチャネルを制御する。個々の制御エレメントはデマルチプレクサ出力信号及び追加信号を受信し、制御アレイ出力信号及び削除信号を生成するが、それらは全て同一のチャネルに関連するものである。例えば、制御エレメント１０３１は波長λ１のチャネルを制御し、デマルチプレクサ出力信号Ｏ１及び追加信号Ａ１を受信して、削除信号Ｄ１及び制御アレイ出力信号を生成するが、それらは全て波長λ１のチャネルに関連する。以下の記述は、制御エレメントの機能の理解を助けるものである。まず、制御エレメントは、受信したデマルチプレクサ出力信号を制御アレイ出力信号として供給するように機能させられうる。この場合には、制御エレメントは受信した追加信号を無視し、削除信号を生成しない。次に、制御エレメントは、受信した追加信号を制御アレイ出力信号として供給するように機能させられうる。この場合には、制御エレメントは、削除信号を生成しないか、あるいは、受信したデマルチプレクサ出力信号を削除信号として生成する。最後に、制御エレメントは、受信したデマルチプレクサ出力信号を削除信号として供給するように機能させられうる。この場合には、制御エレメントは、制御アレイ出力信号を供給しないか、あるいは、受信した追加信号を制御アレイ出力信号として供給する。ここで、図１に示されているように、ＷＡＤ１００が二つの追加信号Ａ１及びＡＮ及び（Ｎ−２）個のデマルチプレクサ出力信号Ｏ２−ＯＮ−１を制御アレイ出力信号として供給するとする。マルチプレクサ１０４は、制御アレイ出力信号をマルチプレクスして、Ｎ個のチャネル（λ１λ２．．．λＮ）を有する出力ＷＤＭ信号１０５を生成する。
【０００７】
一般に、デマルチプレクサ１０２及びマルチプレクサ１０４は、（以下に記述されているように）プレーナ型導波路グレーティングあるいはフリースペースディフラクション（回折）グレーティングなどのグレーティングを用いて実装される。プレーナ型導波路グレーティングは、アレイ導波路グレーティングあるいはプレーナ型リフラクション（屈折）グレーティングとも呼称される。プレーナ型導波路グレーティングがデマルチプレクサ１０２及びマルチプレクサ１０４として用いられる場合には、制御アレイ１０３も、制御エレメント１０３１−１０３Ｎに加えて、複数個の等長導波路（図示せず）を有している。各等長導波路は、相異なった制御エレメントに関連している。（二つの導波路は、それぞれの長さが互いに数波長以内の差であれば“等長”と見なされることに留意されたい。）一般に、制御エレメント１０３１−１０３Ｎはスイッチであり、マッハ−ツェーンダースイッチであることが望ましい。フリースペースディフラクショングレーティングがデマルチプレクサ１０２及びマルチプレクサ１０４として用いられる場合には、制御アレイ１０３は等長導波路を有さず、制御エレメント１０３１−１０３Ｎは、一般には、ＭＥＭＳミラーあるいは液晶などのフリースペース制御エレメントである。
【０００８】
図２は、デマルチプレクサとして用いられる従来技術に係るプレーナ型導波路グレーティングを模式的に示している。このグレーティングは、入力ＷＤＭ信号が導波路２０１に供給された場合にデマルチプレクサとして用いられ、（ここでは記述されないが）導波路アレイ２０５に複数個の単一波長信号が供給される場合にマルチプレクサとして用いられる。デマルチプレクサ２００は、二つのスターカップラ２０２及び２０４、及び、グレーティングアームアレイ２０３を有している。デマルチプレクサ２００は、導波路２０１から四つのチャネル（λ１λ２λ３λ４）を有するＷＤＭ信号を受信し、導波路アレイ２０５に四つのデマルチプレクサ出力信号を生成する。導波路アレイ２０５には四つの導波路ＷＧ１、ＷＧ２、ＷＧ３、及びＷＧ４が含まれており、それぞれ、波長λ１、λ２、λ３、及びλ４のデマルチプレクサ出力信号を担う。
【０００９】
同様に、図３は、デマルチプレクサとして用いられる従来技術に係るフリースペースディフラクショングレーティングを示している。デマルチプレクサ３００は、Ｎ個のチャネル（λ１λ２．．．λＮ）を有するを有する入力ＷＤＭ信号３０３を受信するディフラクショングレーティング３０１を有しており、Ｎ個の単一波長信号３０４を生成する。
【００１０】
本発明の理解を促進する目的で、以下の数節にわたっていくつかの術語が定義される。ＷＤＭ信号における隣接する二つのチャネル間のチャネル間隔Δｆは、それらの周波数差である。以下の議論においては、チャネル間隔は、特に明記されていない場合には、一定であると仮定されている。チャネルスパンは、ＷＤＭ信号に含まれる波長のうちの最高周波数と最低周波数との差である。チャネル間隔が一定である場合、チャネルスパンは、チャネル間隔とチャネル個数との積、すなわちＮΔｆとなる。
【００１１】
グレーティングのフリースペクトルレンジ（ＦＳＲ）は、当該グレーティングの二つの連続したパスバンドの間のスペクトルレンジであって、一般には一定である。例えば、図４は、例えば図２に示されているもののような、従来技術に係るプレーナ型導波路グレーティングのＦＳＲを示している。図４より明らかなように、ＦＳＲはチャネルスパンより広い。
【００１２】
フリースペースディフラクショングレーティングやプレーナ型導波路グレーティングなどのグレーティングに係るグレーティング次数Ａは、（当業者には公知の）グレーティング方程式を満足する整数である。一般に、いずれのタイプのグレーティングに対しても、グレーティング次数Ａは以下のように記述される：
Ａ＝ｆ／２ＮΔｆ                                          （１）
ここで、ｆ、Δｆ及びＮは、それぞれ、中心周波数、チャネル間隔、及び入力ＷＤＭ信号のチャネル数である。
【００１３】
グレーティングの単位長さ当たりのエレメント数Ｇは、フリースペースディフラクショングレーティングの場合にはその単位長さ当たりの溝の数であり、また、プレーナ型導波路グレーティングの場合にはスターカップラバウンダリに沿った長さ当たりの入力すなわちポートの個数である。
【００１４】
ＷＡＤにおいては、当業者には公知であるが、０．１ラジアンという回折角を仮定すると、ＷＡＤのグレーティングと制御アレイとの間の最小距離ｄｇｃは、
ｄｇｃ＝ｆ／（０．１ＧΔｆＡｎ）                            （２）
によって与えられる。ここで、ｆはチャネルスパンの中心周波数、Ｇはグレーティングの長さ当たりのエレメント数、Ａはグレーティングの次数、及び、ｎはグレーティングと制御アレイとの間に配置された材料の屈折率である。一般に、ｄｇｃが大きければ大きいほどＷＡＤの物理的な大きさも大きくなる。
【００１５】
式（１）より、チャネル数Ｎが増大するとグレーティングの次数が小さくなり、式（２）より、グレーティングの次数が小さくなると、グレーティングと制御アレイとの間の距離が大きくなることが理解される。よって、一般には、ＷＤＭネットワークにおけるチャネル数が増大すると、必要とされるＷＡＤの物理的な大きさも増大することになる。一般に、ＷＡＤの物理的な大きさが大きくなると、そのコストも増大し、また、挿入損失も大きくなる。この種の大きなＷＡＤデバイスは高価であり、熱的なテスト及び衝撃テストにおいてその品質を確認することが困難になる。
【００１６】
しかしながら、本発明の原理に従って、ＷＡＤによってサポートされるチャネル数が、その物理的な大きさを同時に増大させることなく、増大させられうる。詳細に述べれば、グレーティングのＦＳＲが入力あるいは出力ＷＤＭ信号のチャネルスパンよりも小さい場合には、チャネルはいくつかの組として操作されることになる（この際、少なくとも一つの組が、複数個のチャネルを含んでいる）。組内のチャネル数は一定であってもよいし一定でなくてもよい。図５は、チャネルスパンよりも小さいＦＳＲを有することの効果を例示している。図５において、各導波路はチャネルスパン内に三つのパスバンドを有している。よって、各導波路は、三つのチャネルによって共有されうる。その結果、与えられた個数のチャネルをサポートするために、より少ない個数の導波路が必要とされる。有利なことには、ＷＡＤの長さもまた減少する。長さの減少は、式（１）より明らかである。この際、チャネル数Ｎが組の個数Ｍによって置換され、ＭがＮより小さいためにグレーティングの次数Ａが増大し、よって、式（２）から最小距離ｄｇｃが減少する。よって、ＷＡＤの物理的な大きさも減少し、チャネル密度がより高くなる、すなわち、物理的な単位サイズ当たりのチャネル数が大きくなる。チャネル間隔Δｆ及び組の個数Ｍが与えられると、グレーティングに要求されるＦＳＲはＭΔｆとなる。ＦＳＲ値が決定されれば、そのグレーティングの設計及び構成は当業者には公知であり、従って本明細書においては記載されない。
【００１７】
図６は、本発明の原理に従った波長追加／削除マルチプレクサ例を示している。図６より明らかなように、ＷＡＤ６００はチャネルの組に関して機能し、少なくともそのうちの一つの組が複数のチャネルを有している。図６に示された例では、Ｍ個の組が存在し、各々の組は（Ｎ／Ｍ）個のチャネルを有している。ここで、Ｍ＜Ｎであり、ＭはＮの因数であることが望ましい。ＷＡＤ６００は、デマルチプレクサ６０２、制御アレイ６０３、及びマルチプレクサ６０４を有している。デマルチプレクサ６０２は、Ｎ個の相異なったチャネル（λ１λ２．．．λＮ）を有する入力ＷＤＭ信号６０１を、各々（Ｎ／Ｎ）個のチャネルを含むＭ個のデマルチプレクサ出力信号Ｏ１−ＯＭにデマルチプレクスする。この例における追加信号Ａｉあるいは削除信号Ｄｉは、（Ｎ／Ｍ）個のチャネル（λｉλＭ＋ｉλ２Ｍ＋ｉ．．．λＮ−Ｍ＋ｉ）を有している。制御アレイ６０３はＭ個の制御エレメントを有している。本発明の原理に従って、チャネル数Ｎよりも少ない個数の制御エレメントがＷＡＤ６００において必要とされる。なぜなら、各制御エレメントは複数個のチャネルを制御するからである。各制御エレメントはデマルチプレクサ出力信号及び追加信号を受信し、チャネルよりなる同一の組に関連した削除信号及び制御アレイ出力信号を生成する。例えば、制御エレメント６０３１は、デマルチプレクサ出力信号Ｏ１及び追加信号Ａ１を受信し、削除信号Ｄ１及び制御アレイ出力信号を生成するが、それらは全て（Ｎ／Ｍ）個のチャネルよりなる組（λ１λＭ＋１λ２Ｍ＋１．．．λＮ−Ｍ＋１）に関連している。この例では、ＷＡＤ６００は二つの追加信号Ａ１及びＡＭ、及び、（Ｍ−２）個のデマルチプレクサ出力信号Ｏ２−ＯＭ−１を、図６に示された制御アレイ出力信号として生成する。マルチプレクサ６０４は、制御アレイ出力信号をＮ個のチャネルを有する出力ＷＤＭ信号６０５にマルチプレクスする。
【００１８】
本発明に従ったＷＡＤを構成する一つの方法は、プレーナ型導波路グレーティングを用いるものである。この例が図７に示されている。ＷＡＤ７００は、デマルチプレクサ７０１、マルチプレクサ７０３、及び制御アレイ７０２を有しており、制御アレイ７０２は複数個の等長導波路を有し、その各々にマッハ−ツェーンダースイッチが関連付けられている。デマルチプレクサ７０１及びマルチプレクサ７０３は、双方とも、プレーナ型導波路グレーティングを用いている。（デマルチプレクサ７０１用のグレーティングとマルチプレクサ７０３用のグレーティングとが必ずしも同一である必要はないことに留意されたい。）マッハ−ツェーンダースイッチへの接続の詳細が等長導波路ＷＧ1に関連するマッハ−ツェーンダースイッチ７０４を用いて示されており、Ａ１及びＤ１は、それぞれ、等長導波路ＷＧ1に関連しているチャネルの同一の組に係る追加信号及び削除信号である。同様に、ＷＧ2は他の追加信号、削除信号、及びマッハ−ツェーンダースイッチに関連している。ＷＡＤ７００は、１６個の組に分割された１２８個のチャネル（λ1λ2．．．λ128）をサポートしており、各々の組が８個のチャネルを含んでいる。よって、デマルチプレクサ７０１は、各々８個のチャネルを有する１６個のデマルチプレクサ出力信号を生成する。ＷＡＤ７００の他の特徴は、各デマルチプレクサ出力信号が二つの等長導波路のグループによって伝達される、ということである。同一のデマルチプレクサ出力信号を伝達する即ちパスバンドが重なりを有する二つの等長導波路グループに関連している二つのマッハ−ツェーンダースイッチは、デマルチプレクサ出力信号を通過させる／阻止するように協調して動作する。この、信号当たりの多重等長導波路配置は、図７において、例えば所定のグループの等長導波路ＷＧ1及びＷＧ2が８チャネルデマルチプレクサ出力信号（λ1λ17λ33λ49λ65λ81λ97λ113）を伝達し、他のグループの等長導波路ＷＧ31及びＷＧ32が他の８チャネルデマルチプレクサ出力信号（λ16λ32λ48λ64λ80λ96λ112λ128）を伝達する、等々と示されている。（１つのグループ内の等長導波路として二つが例示されているだけであるが、より多くの等長導波路が１つのデマルチプレクサ出力信号を伝達するために用いられる。）１つのデマルチプレクサ出力信号を伝達するために複数個の導波路を用いることの利点は、各チャネルに対する個々のパスバンドが平坦であること及びチャネルが追加／削除されない場合において全体としての応答が完全に平坦であることである。ＷＡＤ７００は、通常のシリカ導波路を用いた場合に、およそ１１ｃｍの長さを有することになる。これは、同一のチャネルをサポートする従来技術に係るプレーナ型導波路グレーティング及びフリースペースディフラクショングレーティングが各々およそ１４ｃｍ及び５２ｃｍという最小長を有することと比較して有利である。
【００１９】
前述されているように、フリースペースディフラクショングレーティングが用いられる場合には、等長導波路は必要とされず、ミラー及び液晶が制御素子（図示せず）として用いられる。プレーナ型導波路グレーティングの場合の信号当たりに複数個の等長導波路を用いるのと同様の効果を実現するためには、フリースペースディフラクショングレーティングが用いられる際にはより大きなミラーが用いられなければならない。
【００２０】
次に、本発明の原理を実装した、別の有用な波長フィルタ、すなわち波長ブロッカ、の設計が記述される。波長ブロッカの設計原理はＷＡＤのそれと同様であり、同様のグレーティングが用いられる場合には、その物理的な大きさはより小さいものとなる。なぜなら、追加／削除信号が関与しないからである。波長ブロッカは、ＷＤＭ信号中のあるチャネルあるいは全てのチャネル中の信号をブロック（破棄）する目的で用いられる。波長ブロッカは、ＷＡＤ、スイッチ、あるいは他の波長フィルタを構成するために用いられうる。本発明の原理に従った波長ブロッカの設計に係る類似性の例であるが、図７に示されたＷＡＤ７００は、制御アレイ７０２におけるマッハ−ツェーンダースイッチをマッハ−ツェーンダー干渉計シャッターに置換することによって、波長ブロッカとなる。他のシャッターも利用可能である。その結果得られる波長ブロッカの大きさは、およそ６ｃｍほどである。この波長ブロッカは、１パス波長ブロッカと呼称される。なぜなら、光がシャッターを１度だけ通過するからである。この１パス波長ブロッカは、１パス波長ブロッカが他のタイプの波長フィルタに関する構成ブロックとして用いられうることを例示する以下の二つの実施例において用いられる。
【００２１】
図８は、前述された１パス波長ブロッカがＷＡＤを構成する目的で用いられる例を示している。ＷＡＤ８００は、カップラ８０１及び８０３、１パス波長ブロッカ８０２、デマルチプレクサ８０４、及びマルチプレクサ８０５を有している。カップラ８０１は、入力ＷＤＭ信号をデマルチプレクサ８０４に結合し、デマルチプレクサ８０４はいくつかあるいは全てのチャネルから信号を削除する。１パス波長ブロッカ８０２は、いくつかあるいは全てのチャネルの組における信号をブロックし、マルチプレクサ８０５は新たなチャネルをこれらチャネルの組に追加する。
【００２２】
図９は、前述された１パス波長ブロッカより構成された２パス波長ブロッカ例を示している。２パス波長ブロッカ９００は、１パス波長ブロッカ９０２、サーキュレータ９０１、及びリフレクタ９０３より構成されている。サーキュレータ９０１のポート１は入力ＷＤＭ信号を受信し、当該入力ＷＤＭ信号をサーキュレータ９０１のポート２を介して１パス波長ブロッカ９０２宛に伝達する。１パス波長ブロッカ９０２はチャネルの組をブロックし、残りの組を出力ＷＤＭ信号として通過させる。リフレクタ９０３は、出力ＷＤＭ信号を１パス波長ブロッカ９０２宛に戻す。１パス波長ブロッカ９０２は、反射された出力ＷＤＭ信号をサーキュレータ９０１のポート２宛に通過させる。サーキュレータ９０１は、反射された出力ＷＤＭ信号をポート３から出力する。リフレクタ９０３はミラーであり、ファラデー（Ｆａｒａｄａｙ）ミラーであることが望ましい。同様に、２パスＷＡＤが、本発明の原理に従った１パスＷＡＤから構成されうる（図示せず）。
【００２３】
以上の説明は、本発明の一実施例に関するもので，この技術分野の当業者であれば、本発明の種々の変形例が考え得るが、それらはいずれも本発明の技術的範囲に包含される。例えば、波長チャネルを組としてスイッチする、上述されているもの以外の高チャネル密度波長フィルタも、本発明に係る技法を用いて実現されうる。
【００２４】
【発明の効果】
以上述べたごとく、本発明によれば、デマルチプレクサ、マルチプレクサ、及び前記デマルチプレクサを前記マルチプレクサに結合する制御アレイより構成され、前記制御アレイの少なくとも一つのエレメントがＷＤＭ信号の複数のチャネルに対して機能するような波長フィルタが提供される。
【図面の簡単な説明】
【図１】  従来技術に係る波長追加／削除マルチプレクサ例を模式的に示す図。
【図２】  従来技術に係るプレーナ型導波路グレーティングを模式的に示す図。
【図３】  従来技術に係るフリースペースディフラクショングレーティングを模式的に示す図。
【図４】  従来技術に係るプレーナ型導波路グレーティングのフリースペクトルレンジとチャネルスパンとの関係を示すグラフ。
【図５】  本発明の原理に従って波長フィルタを構成する際に用いられるプレーナ型導波路グレーティングのフリースペクトルレンジとチャネルスパンとの間の関係を示すグラフ。
【図６】  本発明の原理に従った波長追加／削除マルチプレクサ例を模式的に示す図。
【図７】  本発明の原理に従ってプレーナ型導波路グレーティングを有する波長追加／削除マルチプレクサ例を模式的に示す図。
【図８】  １パス波長ブロッカから構成された波長追加／削除マルチプレクサ例を模式的に示す図。
【図９】  １パス波長ブロッカから構成された２パス波長ブロッカ例を模式的に示す図。
【符号の説明】
１００  波長追加／削除マルチプレクサ
１０１、１０５  ＷＤＭ信号
１０２  デマルチプレクサ
１０３  制御アレイ
１０４  マルチプレクサ
２００  デマルチプレクサ
２０１  導波路
２０２、２０４  スターカップラ
２０３  グレーティングアームアレイ
２０５  導波路アレイ
３００  デマルチプレクサ
３０１  フリースペースディフラクショングレーティング
３０３  ＷＤＭ信号
３０４  単一波長信号
６００  波長追加／削除マルチプレクサ
６０１、６０５  ＷＤＭ信号
６０２  デマルチプレクサ
６０３  制御アレイ
６０４  マルチプレクサ
７００  波長追加／削除マルチプレクサ
７０１  デマルチプレクサ
７０２  制御アレイ
７０３  マルチプレクサ
７０４  マッハ−ツェーンダースイッチ
８０１、８０３  カップラ
８０２  １パス波長ブロッカ
８０４  デマルチプレクサ
８０５  マルチプレクサ
９００  ２パス波長ブロッカ
９０１  サーキュレータ
９０２  １パス波長ブロッカ
９０３  リフレクタ
【図１】
0004832700.tif 000002
【図２】
0004832700.tif 000003
【図３】
0004832700.tif 000004
【図４】
0004832700.tif 000005
【図５】
0004832700.tif 000006
【図６】
0004832700.tif 000007
【図７】
0004832700.tif 000008
【図８】
0004832700.tif 000009
【図９】
0004832700.tif 000010